(57)【要約】【課題】高感度撮影時に撮影者以外の周囲にも撮影を通知し、撮影者以外の被撮影者を含む周囲にとっても安心して撮影が行われること。【解決手段】撮像装置は、通常の撮影より高感度で撮影可能な高感度撮影手段と、高感度撮影時には撮影者以外の周囲にも撮影を通知する高感度撮影通知手段とを備える。【選択図】図１
2008211402.tif 000002
【特許請求の範囲】
【請求項１】
通常の撮影より高感度で撮影可能な高感度撮影手段と、
高感度撮影時には撮影者以外の周囲にも撮影を通知する高感度撮影通知手段と、
を備えたことを特徴とする撮像装置。
【請求項２】
音声出力手段と、
高感度撮影時には撮影者以外の周囲にも音声により撮影を通知する高感度撮影通知手段と、
を備えたことを特徴とする請求項１に記載の撮像装置。
【請求項３】
通常の撮影より高感度で撮影可能な高感度撮影手段と、
音声出力手段と、
音量設定手段と、
音量の設定値に関わらず、高感度撮影時には撮影者以外の周囲にも音声により撮影を通知する高感度撮影通知手段と、
を備えたことを特徴とする撮像装置。
【請求項４】
音量の設定値がある値未満の場合、高感度撮影時には撮影者以外の周囲にもある値の音量以上の音声により、撮影を通知する高感度撮影通知手段を備えたことを特徴とする請求項１から３のいずれか１項に記載の撮像装置。
【請求項５】
高感度撮影時には撮影者以外の周囲にもレリーズ操作音により撮影を通知する高感度撮影通知手段を備えたことを特徴とする請求項１から４のいずれか１項に記載の撮像装置。
【請求項６】
音声出力のオン／オフを切り替える音声出力切り替え手段と、
音声出力切り替えの状態に関わらず、高感度撮影時には撮影者以外の周囲にも撮影を通知する高感度撮影通知手段と、
を備えたことを特徴とする請求項１から５のいずれか１項に記載の撮像装置。
【請求項７】
通常の撮影より高感度で撮影可能な高感度撮影工程と、
高感度撮影時には撮影者以外の周囲にも撮影を通知する高感度撮影通知工程と、
を有することを特徴とする撮影通知方法。
【請求項８】
音声出力工程と、
高感度撮影時には撮影者以外の周囲にも音声により撮影を通知する高感度撮影通知工程と、
を有することを特徴とする請求項７に記載の撮影通知方法。
【請求項９】
通常の撮影より高感度で撮影可能な高感度撮影工程と、
音声出力工程と、
音量設定工程と、
音量の設定値に関わらず、高感度撮影時には撮影者以外の周囲にも音声により撮影を通知する高感度撮影通知工程と、
を有することを特徴とする撮影通知方法。
【請求項１０】
音量の設定値がある値未満の場合、高感度撮影時には撮影者以外の周囲にもある値の音量以上の音声により、撮影を通知する高感度撮影通知工程を有することを特徴とする請求項７から９のいずれか１項に記載の撮影通知方法。
【請求項１１】
高感度撮影時には撮影者以外の周囲にもレリーズ操作音により撮影を通知する高感度撮影通知工程を有することを特徴とする請求項７から１０のいずれか１項に記載の撮影通知方法。
【請求項１２】
音声出力のオン／オフを切り替える音声出力切り替え工程と、
音声出力切り替えの状態に関わらず、高感度撮影時には撮影者以外の周囲にも撮影を通知する高感度撮影通知工程と、
を有することを特徴とする請求項７から１１のいずれか１項に記載の撮影通知方法。
【発明の詳細な説明】
【技術分野】
【０００１】
本発明は、高感度撮影時の撮像装置／撮影通知方法に関する。
【背景技術】
【０００２】
従来、撮影感度を設定変更する機能を有しており、通常の撮影に加え、より高感度で撮影可能なデジタルカメラ等の撮像装置が多く存在する。
【０００３】
高感度撮影では、暗い場所等での撮影が可能である。暗い場所等では、撮影者以外の被撮影者を含む周囲が知らないうち気付かないうちに撮影が行われる場合がある。これは悪用されれば、盗撮等の犯罪となりかねない。
【０００４】
カメラ付携帯電話では、撮影モードになると撮影操作では必ずレリーズ操作音等の音声出力がなされ、撮影者以外の被撮影者を含む周囲も撮影が行われたことに気付くことが出来る。
【０００５】
ここで、特許文献１のデジタルカメラでは電池の種類をあらかじめ判別して警告すし、また、特許文献２のデジタルカメラでは撮影可能枚数を撮影者に通知する。しかし、どちらも、ある状態で通知・警告表示を行うが、撮影者以外に知らせるものではない。
【特許文献１】特開２００４−３５０２４８号公報
【特許文献２】特開２００４−３５０１２９号公報
【発明の開示】
【発明が解決しようとする課題】
【０００６】
しかしながら、デジタルカメラでは操作音等の音声出力の音量を設定できる場合が多く、音量をゼロや小さい値に設定している場合、高感度撮影時も音声出力がなかったり、あったとしても周囲が気付かないことがある。
【０００７】
そこで、本発明では、上記のような問題を鑑み、高感度撮影時に撮影者以外の周囲にも撮影を通知し、撮影者以外の被撮影者を含む周囲にとっても安心して撮影が行われることを目的としている。
【課題を解決するための手段】
【０００８】
請求項１記載の発明は、通常の撮影より高感度で撮影可能な高感度撮影手段と、高感度撮影時には撮影者以外の周囲にも撮影を通知する高感度撮影通知手段と、を備えたことを特徴とする撮像装置である。
【０００９】
請求項２記載の発明は、請求項１に記載の撮像装置において、音声出力手段と、高感度撮影時には撮影者以外の周囲にも音声により撮影を通知する高感度撮影通知手段と、を備えたことを特徴とする。
【００１０】
請求項３記載の発明は、通常の撮影より高感度で撮影可能な高感度撮影手段と、音声出力手段と、音量設定手段と、音量の設定値に関わらず、高感度撮影時には撮影者以外の周囲にも音声により撮影を通知する高感度撮影通知手段と、を備えたことを特徴とする撮像装置である。
【００１１】
請求項４記載の発明は、請求項１から３のいずれか１項に記載の撮像装置において、音量の設定値がある値未満の場合、高感度撮影時には撮影者以外の周囲にもある値の音量以上の音声により、撮影を通知する高感度撮影通知手段を備えたことを特徴とする。
【００１２】
請求項５記載の発明は、請求項１から４のいずれか１項に記載の撮像装置において、高感度撮影時には撮影者以外の周囲にもレリーズ操作音により撮影を通知する高感度撮影通知手段を備えたことを特徴とする。
【００１３】
請求項６記載の発明は、請求項１から５のいずれか１項に記載の撮像装置において、音声出力のオン／オフを切り替える音声出力切り替え手段と、音声出力切り替えの状態に関わらず、高感度撮影時には撮影者以外の周囲にも撮影を通知する高感度撮影通知手段と、を備えたことを特徴とする。
【００１４】
請求項７記載の発明は、通常の撮影より高感度で撮影可能な高感度撮影工程と、高感度撮影時には撮影者以外の周囲にも撮影を通知する高感度撮影通知工程と、を有することを特徴とする撮影通知方法である。
【００１５】
請求項８記載の発明は、請求項７に記載の撮影通知方法において、音声出力工程と、高感度撮影時には撮影者以外の周囲にも音声により撮影を通知する高感度撮影通知工程と、を有することを特徴とする。
【００１６】
請求項９記載の発明は、通常の撮影より高感度で撮影可能な高感度撮影工程と、音声出力工程と、音量設定工程と、音量の設定値に関わらず、高感度撮影時には撮影者以外の周囲にも音声により撮影を通知する高感度撮影通知工程と、を有することを特徴とする撮影通知方法である。
【００１７】
請求項１０記載の発明は、請求項７から９のいずれか１項に記載の撮影通知方法において、音量の設定値がある値未満の場合、高感度撮影時には撮影者以外の周囲にもある値の音量以上の音声により、撮影を通知する高感度撮影通知工程を有することを特徴とする。
【００１８】
請求項１１記載の発明は、請求項７から１０のいずれか１項に記載の撮影通知方法において、高感度撮影時には撮影者以外の周囲にもレリーズ操作音により撮影を通知する高感度撮影通知工程を有することを特徴とする。
【００１９】
請求項１２記載の発明は、請求項７から１１のいずれか１項に記載の撮影通知方法において、音声出力のオン／オフを切り替える音声出力切り替え工程と、音声出力切り替えの状態に関わらず、高感度撮影時には撮影者以外の周囲にも撮影を通知する高感度撮影通知工程と、を有することを特徴とする。
【発明の効果】
【００２０】
本発明によれば、高感度撮影時に撮影者以外の周囲にも撮影を通知し、撮影者以外の被撮影者を含む周囲にとっても安心して撮影が行われる。
【発明を実施するための最良の形態】
【００２１】
本発明の一実施形態を示す。本実施形態は撮像装置をデジタルカメラとしているが、本発明はこれに限るものではない。
【００２２】
図１は本実施形態に係わるデジタルカメラのブロック図、図２はデジタルカメラの外観図、図３はデジタルカメラの音量設定画面、図４、５はデジタルカメラの撮影フローである。
【００２３】
最初に図１により、デジタルカメラのブロック図の各部についての説明をする。レンズユニット内にあるレンズ（ズームおよびフォーカスレンズ）は、モータドライバによって駆動される。モータドライバは、信号処理ＩＣの内部に含まれるマイクロコンピュータ（以下マイコン）によって制御される。
【００２４】
撮像部は、ＣＣＤ、ＣＣＤを駆動するタイミング信号発生器（以下ＴＧ）、アナログゲインコントローラ（以下ＡＧＣ）、ＣＣＤ出力電気信号（アナログ画像データ）をデジタル信号に変換するＡ／Ｄ変換器から構成されている。
【００２５】
撮像部から入力されたデジタルデータは、ＣＣＤＩ／Ｆブロックを介して、画像蓄積部であるフレームメモリであるＳＤＲＡＭにＲＧＢデータとして一時保管される。
【００２６】
信号処理ＩＣは、ＣＣＤＩ／Ｆ部、画像処理部、表示Ｉ／Ｆ部、ＪＰＥＧコーデック部、リサイズ部、カードコントローラ部、音声コーデック部、システム制御を行うマイコンから構成されている。
【００２７】
ＣＣＤＩ／Ｆ部は、画面水平同期信号（ＨＤ）と画面垂直同期信号（ＶＤ）の出力を行い、その同期信号に合わせてＡ／Ｄ変換器から入力されるデジタルＲＧＢ信号を取り込んで、メモリコントローラ経由でＳＤＲＡＭにＲＧＢデータの書き込みを行う。
【００２８】
画像処理部は、制御部から設定された画像処理パラメータに基づき、ＳＤＲＡＭに一時保管されたＲＧＢデータをＹＵＶデータに変換処理して、ＳＤＲＡＭに出力する。
【００２９】
リサイズ部は、ＹＵＶデータを読み出して、記録するために必要なサイズへのサイズ変換、サムネイル画像へのサイズ変換、表示に適したサイズへのサイズ変換などを行う。
【００３０】
表示Ｉ／Ｆ部はＳＤＲＡＭに書き込まれた表示用データを表示装置に送り、撮影画像の表示を行う。この表示装置は、カメラが内蔵しているＬＣＤに表示することも、ＴＶビデオ信号として出力してテレビに表示することも可能である。
【００３１】
ＪＰＥＧコーデック部は、記録時はＳＤＲＡＭに書き込まれたＹＵＶデータを圧縮してＪＰＥＧ符号化されたデータを出力し、再生時はカードより読み出したＪＰＥＧ符号化データをＹＵＶデータに伸張して出力する。
【００３２】
カードコントローラ部は、マイコンの指示により、メモリカード内のデータをＳＤＲＡＭに読み出したり、ＳＤＲＡＭ上のデータをメモリカードに書き込みを行う。
【００３３】
全体制御部であるマイコンは、起動時にＲＯＭに格納されたプログラムおよび制御データをＳＤＲＡＭにロードし、そのプログラムコードに基づいて全体を制御をする。マイコンは、操作部のボタン等による指示、或は図示しないリモコン等の外部動作指示、或はパーソナルコンピュータ等の外部端末からの通信による通信動作指示に従い、撮像動作制御、画像処理装置における画像処理パラメータの設定、メモリコントロール、表示制御を行う。
【００３４】
操作部は、撮影者が撮像装置の動作指示を行うためのものであり、撮影を指示するレリーズキー、光学ズーム及び電子ズーム倍率を設定するズームボタン、その他の各種設定を外部から行うためのボタンを備えている。
【００３５】
次に、デジタルカメラの撮像素子の受光感度（以下、ＩＳＯ感度）設定、操作音出力設定、撮影フローを説明する。
【００３６】
撮影者は、カメラの操作部であるボタンを操作し、各種設定を行うことができる。ＬＣＤには、各種設定を行う設定画面が表示される。
【００３７】
撮影者がＩＳＯ感度を設定変更する場合、ＬＣＤに表示されたＩＳＯ感度設定画面を見ながら、所望のＩＳＯ感度を設定変更することができる。ＩＳＯ感度が設定変更されると、デジタルカメラは撮像時、ＣＣＤを駆動し、ＩＳＯ感度の設定値に応じた感度で撮像する。
【００３８】
ＩＳＯ感度設定画面では、ＡＵＴＯ／ＩＳＯ６２／ＩＳＯ１００／ＩＳＯ２００／ＩＳＯ４００／ＩＳＯ８００／ＩＳＯ１０００から選択して設定変更できるものとする。
【００３９】
また、ＩＳＯ４００以上を高感度撮影とする。
【００４０】
撮影者が音量の設定をする場合、ＬＣＤに表示された図３に示す音量設定画面を見ながら、所望の音量レベルを設定することができる。ここでは、（ａ）から（ｆ）の６段階の音量レベルを設定できるものとする。音量の小さい順に、音量レベル０（消音）、音量レベル１、音量レベル２、音量レベル３、音量レベル４、音量レベル５である。撮影者が、ボタンを操作して、１レベルずつ音量レベルを変更でき、所望の音量レベルに設定できる。
【００４１】
また、本実施形態では音量のみでなく、音声出力自体のオン／オフを設定できるものとする。撮影者が操作音出力オン／オフの設定変更をする場合、ＬＣＤに表示されたＩＳＯ感度設定画面を見ながら、所望の操作音出力を設定することができる。操作音設定画面では、オン／オフから選択して設定変更できるものとする。
【００４２】
図４を参照すると、撮影者によるレリーズボタン押下で撮影要求があると、これに応答してＩＳＯ感度の設定値を検知する。ここで、ＩＳＯ感度の設定値が４００以上だった場合、操作音設定のオン／オフの状態に関わらず、レリーズ操作音を出力し、被写体を撮像する。ＩＳＯ感度の設定値が４００未満だった場合、操作音設定のオン／オフの状態に検知し、操作音設定がオンの場合、レリーズ操作音を出力し、被写体を撮像する。操作音設定がオフの場合、レリーズ操作音を出力せず、被写体を撮像する。
【００４３】
高感度撮影通知方法である音声出力は、ブザー音でも、言葉での通知でも良い。また、高感度撮影通知方法は、聴覚表示である音声出力に限らず、発光等の視覚表示でも良い。
【００４４】
図５を参照すると、撮影者によるレリーズボタン押下で撮影要求があると、これに応答してＩＳＯ感度の設定値を検知する。ここで、ＩＳＯ感度の設定値が４００以上だった場合、音量レベルの設定値を検知する。ここで、音量レベルがレベル３未満だった場合、音量レベルを強制的にレベル３とし、音量レベル３でレリーズ操作音を出力し、被写体を撮像する。音量レベルがレベル３以上だった場合、設定された音量レベルでレリーズ操作音を出力し、被写体を撮像する。ＩＳＯ感度の設定値が４００以上だった場合、操作音出力オン／オフに関わらず、レリーズ操作音を出力し、被写体を撮像する。
【００４５】
ＩＳＯ感度の設定値が４００未満だった場合、操作音設定のオン／オフの状態に検知し、操作音出力設定がオンの場合、音量レベルの設定値を検知する。ここで、音量レベルが０ではなかった場合、設定された音量レベルでレリーズ操作音を出力し、被写体を撮像する。音量レベルが０だった場合、レリーズ操作音を出力せずに、被写体を撮像する。
【００４６】
操作音出力設定がオフの場合、レリーズ操作音を出力せずに、被写体を撮像する。
【００４７】
高感度撮影通知方法である音声出力は、レリーズ操作音に限らず、その他のブザー音でも、言葉での通知でも良い。
【００４８】
以下、各請求項の作用・効果について説明する。請求項１および請求項７に於いては、高感度撮影時には撮影者以外の周囲にも撮影を通知することにより、撮影者以外の周囲には撮影が行われていることがわかりにくい暗い場所等でも、撮影を知らせることができるので、高感度撮影時に撮影者以外の被撮影者を含む周囲にとっても安心して撮影が行われることができる。
【００４９】
請求項２および請求項８に於いては、音声出力により、高感度撮影時には撮影者以外の周囲にも撮影を通知することにより、撮影者以外の周囲には撮影が行われていることがわかりにくい暗い場所等でも、撮影を知らせることができるので、高感度撮影時に撮影者以外の被撮影者を含む周囲にとっても安心して撮影が行われることができる。
【００５０】
請求項３および請求項９に於いては、音量の設定値に関わらず、音声により高感度撮影時には撮影者以外の周囲にも撮影を通知することにより、撮影者以外の周囲には撮影が行われていることがわかりにくい暗い場所等でも、撮影を知らせることができるので、高感度撮影時に撮影者以外の被撮影者を含む周囲にとっても安心して撮影が行われることができる。
【００５１】
請求項４および請求項１０に於いては、音量の設定値に関わらず、ある値の音量以上の音声により、高感度撮影時には撮影者以外の周囲にも撮影を通知することにより、撮影者以外の周囲には撮影が行われていることがわかりにくい暗い場所等でも、撮影を知らせることができるので、高感度撮影時に撮影者以外の被撮影者を含む周囲にとっても安心して撮影が行われることができる。
【００５２】
請求項５および請求項１１に於いては、レリーズ操作音により高感度撮影時には撮影者以外の周囲にも撮影を通知することにより、撮影者以外の周囲には撮影が行われていることがわかりにくい暗い場所等でも、撮影を知らせることができるので、高感度撮影時に撮影者以外の被撮影者を含む周囲にとっても安心して撮影が行われることができる。
【００５３】
なお、上述する各実施の形態は、本発明の好適な実施の形態であり、本発明の要旨を逸脱しない範囲内において種々変更実施が可能である。
【図面の簡単な説明】
【００５４】
【図１】本実施形態に係わるデジタルカメラのブロック図である。
【図２】本発明の実施形態に係るデジタルカメラの外観図である。
【図３】デジタルカメラの音量設定画面である。
【図４】本発明の実施形態に係るデジタルカメラの撮影フローを示す図である。
【図５】本発明の実施形態に係るデジタルカメラの撮影フローを示す図である。
【図１】
2008211402.tif 000003
【図２】
2008211402.tif 000004
【図３】
2008211402.tif 000005
【図４】
2008211402.tif 000006
【図５】
2008211402.tif 000007